(57)【要約】【課題】口部内に摺切り縁を張出形成することによって、延伸ブロー成形によるプラスチックの広口容器でも、余剰の内容物の摺切りが確実に行えるようにする。不使用時には計量スプーンなどの取付けも可能となす。【解決手段】広口の口部に続いて胴部及び底部が薄肉に延伸ブロー成形された容器である。その口部の胴部に接近した口部下壁を部分的に横長に凹入して、口部内に摺切り縁を張出形成する。上記摺切り縁の外側は計量スプーン等の掬出し具の挟持凹所に形成する。【選択図】      図３
2005035585.tif 000002
【特許請求の範囲】
【請求項１】
広口の口部に続いて胴部及び底部が薄肉に延伸ブロー成形された容器であって、その口部の胴部に接近した口部下壁を部分的に横長に凹入して、口部内に摺切り縁を張出形成してなることを特徴とする延伸ブロー広口容器。
【請求項２】
上記摺切り縁の外側は、計量スプーン等の掬出し具の挟持凹所に形成してなることを特徴とする請求項１記載の延伸ブロー広口容器。
【請求項３】
上記摺切り縁は、口部と胴部の境の口部側壁部を、胴部延伸ブロー成形時に部分的に口部内に横長に凹入して張出形成してなることを特徴とする請求項１又は２記載の延伸ブロー広口容器。
【発明の詳細な説明】
【０００１】
【発明の属する技術分野】
本発明は粉体、粒体、粘稠性等を有する内容物を、容器内から取出したときの余剰分を擦切って除くことができる延伸ブロー広口容器に関するものである。
【０００２】
【従来の技術】
粉ミルクや粒状調味料などの広口容器では、使用量を正確に計量するために、計量スプーンで掬い取った内容物の余剰分を擦切って容器内に戻している。また塗料などの粘稠性を有する内容物でも刷毛に含まれた余剰分を擦切って除くようにしている。その摺切り手段としては、
・  別に用意したへら等の道具を使用する。
・  容器の蓋をヒンジ接合し、開蓋時にその接合部分を摺切り縁として使用する。
・  容器の開口に摺切り部を設ける。
などしてなされていた。
【０００３】
従来のへら等の道具の使用は作業性が悪く、蓋をヒンジ接合して摺切り縁を設けたものでは接合部分からの内容物の漏出などが危惧されている。また摺切り部を設けた容器としては、既に多種多様なものが提供されている。
そのうちの一つは、容器本体の上端内周に蓋受環を備え同蓋受環に開閉可能とされた蓋体により蓋受環内側の開口が開閉されるようにし、本体上部に開口内を臨むすり切り部材を設けている（例えば、特許文献１参照）。
【０００４】
また金属缶製の容器で、開口部に略半月状のすりきり板を設け、開口を臨む直線状の端縁をすりきり縁としているものもある（例えば、特許文献２参照）。
【０００５】
またラムネ用ボトルの延伸ブロー成形で、胴部上部に厚肉板体の成形型を圧入して、球状栓体の落下を防止する狭窄部を成形している（例えば、特許文献３参照）。
【０００６】
【特許文献１】
特開２００１−３１０５０公報
【特許文献２】
特開２００１−１３０５６１公報
【特許文献３】
特開２０００−２４６７９０号公報（第４−５頁、図６）。
【０００７】
【発明が解決しようとする課題】
しかしながら、上記摺切り部を設けた従来構造の容器では、摺切りに係る部分が容器本体とは別の部材からなるために部品点数が多くなり、金属缶の場合等には蓋部材との組合せの関係から、摺切り部材を巻締めして取付ける方法などが採られているため構造の複雑化し、製造工程の増加といった課題があった。またそのような摺切り手段は延伸ブロー成形により製造されるプラスチックの広口容器には採用し難いという課題をも有する。
【０００８】
本発明の目的は、延伸ブロー成形によるプラスチックの広口容器に容易に採用することができ、また内容物の充填にも支障を来さず、余剰の内容物の摺切りも確実に行え、不使用時には計量スプーンなどの取付けも行える新たなプ延伸ブロー広口容器を提供することにある。
【０００９】
【課題を解決するための手段】
上記目的によるこの本発明は、広口の口部に続いて胴部及び底部が薄肉に延伸ブロー成形された容器であって、その口部の胴部に接近した口部下壁を部分的に横長に凹入して、口部内に摺切り縁を張出形成してなるというものであり、また上記摺切り縁の外側は、計量スプーン等の掬出し具の挟持凹所に形成されてなる、というものである。
【００１０】
また上記摺切り縁は、口部と胴部の境の口部側壁部を、胴部延伸ブロー成形時に部分的に口部内に横長に凹入して張出形成してなる、というものである。
【００１１】
【発明の実施の形態】
図１から図３は、本発明の広口容器の一実施形態を示すもので、１はポリエチレンテレフタレート（ＰＥＴ）からなる容器本体、２は外周囲にねじを一体形成した未延伸の広口の口部、３は口部２に続いて薄肉に延伸ブロー成形された胴部、４は底部である。
【００１２】
５は口部２の内側に張出形成された摺切り縁で、口部２の胴部３に接近した口部下壁を部分的に横長に凹入して形成したものからなり、その摺切り縁５の外側は計量スプーン２０の挟持凹所６に形成してある。この摺切り縁５の張出寸法は口部２の内径によって異なるが、内径の１／６ほどの寸法で充分に摺切り縁４として機能し、大小様々な計量スプーン２０に対応させることができる。またその程度の張出寸法であれば内容物の充填にも支障を来すことがない。
【００１３】
また摺切り縁５の下側は、図３に示すように、口部２よりも大径の胴部３により生じた肩部３ａにより側方に深く形成されているので、摺切り縁５による余剰分の擦り取りの際に、計量スプーン２０を斜めにして、柄２０ａの先端の掬い部２０ｂを摺切り縁５に下側に移しても、掬い部２０ｂが胴壁に当たって摺切り前にこぼれが生ずるようなこともなく、適度な角度で摺切り縁５による余剰分の擦り取りを手際よく行えるようになる。しかも摺切り縁５は口部２の下部に位置していることから、摺切り下縁と口部上縁との間の高さに余裕があるので、擦切られた余剰分が開口から外に飛散するのを防止することもできる。
【００１４】
また上記挟持凹所６の上下壁は、凹入形成時の延伸により薄肉化して弾力性を有するので、計量スプーン２０の柄２０ａを横に差込んで、口部２と胴部３との間の側部に弾力的に挟持保持することができ、これにより計量スプーン２０を容器本体１と一緒に食器棚などに収納することができる。
【００１５】
上記広口容器は、図４及び図５に例示する延伸ブロー成形により容易に成形することができる。
図中１０は容器本体１を成形するブロー金型で、開閉自在に対設した一対の割型１１，１１に形成された上部開口のブローキャビティ１２と、そのキャビテ１２の下部と型閉した中央の底型１３とからなる。
【００１６】
１４はネック型（リップ型ともいう）で、上記ブロー金型１０の上方に昇降自在に設けた設置盤の下側に保持して、ブロー金型上に設けた移送盤の下面に、横方向に開閉自在に対設した一対の座板１５に取付けた割型からなる。このネック型１４により容器本体１の口部２となるプリフォーム３０の口部が、容器本体１の胴部３と底部４となる胴部及び底部と一体に、図示しない射出金型により予め射出成形される。
【００１７】
このネック型１４の内部にはブローコア１６が、上記ブローキャビティ１２の上部開口とネック型１４とが型閉したのちに、下面がネック型１４の下端面の近く位置するところまで挿入され、そのブローコア１６からのブローエアと、コア中央に挿通した延伸ロッド１７の伸長とにより、ネック型１４に容器本体１の口部２となる口部を保持して、ブローキャビティ内に位置した上記プリフォーム３０を、図５示すように容器本体１に延伸ブロー成形する。
【００１８】
１８は上記摺切り縁５の成形型で、型閉したネック型１４の下端面に近接して、片側の割型１１の開口下側に横に穿設したガイド孔１９に収めた摺動部材２０の内側上部に突設した厚肉板体からなり、その厚肉板体の下面は摺動部材２０の内側面とにわたる肩部型面に形成してある。
【００１９】
この成形型１８はガイド孔１９の両側のガイド溝２１と嵌合して、図示しない油圧シリンダにより摺動部材２０と共に、容器本体１の胴部３及び底部４の延伸ブロー成形と同時又は前に前進移動し、ネック型１４の下端面から下側の加熱状態にある胴部３との境に圧入されて、口部２と胴部３の境の口部側壁部を部分的に口部内に横長に凹入し、その側壁部を上記摺切り縁６に張出形成する。
【００２０】
延伸ブロー成形後に成形型１８は後退移動して成形した摺切り縁６から引き抜かれ、その引き抜き跡が上記挟持凹所６となって残る。このような摺切り縁６の凹入成形では、ネック型１４とブローコア１６とにより押さられた口部２の下側を、成形型１８が圧入されてゆくので、上下幅が小さな摺切り縁５を口部２内に成形でき、また既に固化している口部２が圧入時の応力により変形することはなく、成形型１８の下面に沿って胴部側が延伸されるようになるので、摺切り縁６に続く胴肩部３ａの成形を他の部位の胴肩部と同様に形成することができる。
【図面の簡単な説明】
【図１】本発明に係る延伸ブロー容器の一実施形態の正面図である。
【図２】同上の平面図である。
【図３】同じく摺切り状態を示す延伸ブロー容器の縦断正面図である。
【図４】この発明の延伸ブロー容器の成形に用いられるブロー金型の型閉時の縦断正面図である。
【図５】同じく容器成形状態を示す縦断正面図である。
【符号の説明】
１    容器本体
２    口部
３    胴部
３ａ  胴肩部
４    底部
５    摺切り縁
６    挟持凹所
７    計量スプーン
１０  ボトル成形用のブロー金型
１２  ブローキャビティ
１４  ネック型（リップ型）
１６  ブローコア
１７  延伸ロッド
１８  摺切り部の成形型
１９  ガイド孔
２０  摺動部材
３０  広口容器のプリフォーム
【図１】
2005035585.tif 000003
【図２】
2005035585.tif 000004
【図３】
2005035585.tif 000005
【図４】
2005035585.tif 000006
【図５】
2005035585.tif 000007